(57)【要約】【課題】理想的なバッティングフォームができている否かの確認のみならず、実際の打撃練習を行うことができるバットを提供する。【解決手段】バット２は、木製のグリップ部１０と、木製の打撃部２０と、グリップ部１０及び打撃部２０を連結する連結部３０とを備える。グリップ部１０は、一方の手（例えば左手）によって握られる第１握りエリア１１と、他方の手（例えば右手）によって握られる第２握りエリア１２と、を備える。連結部３０は、連結金具３１と、チェイン３２とからなる。連結金具３１は、グリップ部１０の先端面１０Ｔや、打撃部２０の基端面２０Ｂに取り付けられるものである。【選択図】図１
2018143314.tif 000002
【特許請求の範囲】
【請求項１】
グリップ部と、
中実構造を有する打撃部と、
前記グリップ部及び前記打撃部を連結する連結部と、を備え、
前記連結部は、変形自在であるとともに、前記グリップ部から前記打撃部へ向かう遠心力の大きさにより、直線状の第１状態と、前記第１状態と異なる第２状態との間で切替自在であることを特徴とするバット。
【請求項２】
グリップ部と、
打撃部と、
前記グリップ部及び前記打撃部を連結する連結部と、を備え、
前記連結部は、前記グリップ部の先端部及び前記打撃部の基端部を連結するものであり、
前記連結部は、変形自在であるとともに、前記グリップ部から前記打撃部へ向かう遠心力の大きさにより、直線状の第１状態と、前記第１状態と異なる第２状態との間で切替自在であることを特徴とするバット。
【請求項３】
前記打撃部は、前記グリップ部と一体になった状態と、前記グリップ部から離れた状態と、の間で切替自在であることを特徴とする請求項１または２記載のバット。
【請求項４】
前記連結部は、
前記グリップ部に固定されるグリップ側固定部と、
前記打撃部に固定される打撃側固定部と、
前記グリップ側固定部と前記打撃側固定部とをつなぐ繋ぎ部と、を備え、
前記繋ぎ部は、前記グリップ側固定部または前記打撃側固定部に対して、着脱自在であることを特徴とする請求項１ないし３のうちいずれか１項記載のバット。
【請求項５】
前記連結部は、
前記グリップ部に固定されるグリップ側固定部と、
前記打撃部に固定される打撃側固定部と、
前記グリップ側固定部と前記打撃側固定部とをつなぐ繋ぎ部と、を備え、
前記繋ぎ部は、
グリップ側繋ぎ部と、
前記グリップ側繋ぎ部に対して着脱自在な打撃側繋ぎ部と、を備えることを特徴とする請求項１ないし３のうちいずれか１項記載のバット。
【請求項６】
前記連結部は、
前記グリップ部または前記打撃部に固定される固定部と、
前記固定部に対して回動自在に取り付けられたヘッド部とを備えることを特徴とする請求項１ないし３のうちいずれか１項記載のバット。
【請求項７】
前記連結部は、チェインまたは紐を備えることを特徴とする請求項１ないし６のうちいずれか１項記載のバット。
【発明の詳細な説明】
【技術分野】
【０００１】
本発明は、バットに関する。
【背景技術】
【０００２】
野球の練習において、理想的なバッティングフォームを作るために素振りが欠かせない。このため、より多くの素振り回数を可能とすべく、特許文献１のようなバットが開示されている（例えば、特許文献１）。
【先行技術文献】
【特許文献】
【０００３】
【特許文献１】実用新案登録第３１９５３４５号公報
【発明の概要】
【発明が解決しようとする課題】
【０００４】
体全身を使った回転運動がバットに伝わるか否かは、理想的なバッティングフォームにおいて重要な要素である。言い換えれば、上半身の回転運動のみならず下半身の回転運動をいかにしてバットへ伝えるかが重要な要素となる。しかしながら、従来のバットの場合、バット全体が剛性をもっているため、腕などの上半身の力に頼ってバットを回転させることも可能である。しかしながら、このようなスイングでは、大きなヘッドスピードを出すことが困難である。また、特許文献１のバットを用いて素振りを行った場合、自分が行ったスイングが、理想的なバッティングフォームになっているかの判別をすることは難しい。
【０００５】
本発明は、斯かる実情に鑑み、理想的なバッティングフォームができている否かの確認のみならず、実際の打撃練習を行うことができるバットを提供しようとするものである。
【課題を解決するための手段】
【０００６】
本発明のバットは、グリップ部と、中実構造を有する打撃部と、前記グリップ部及び前記打撃部を連結する連結部と、を備え、前記連結部は、変形自在であるとともに、前記グリップ部から前記打撃部へ向かう遠心力の大きさにより、直線状の第１状態と、前記第１状態と異なる第２状態との間で切替自在であることを特徴とする。また、本発明のバットは、グリップ部と、打撃部と、前記グリップ部及び前記打撃部を連結する連結部と、を備え、前記連結部は、前記グリップ部の先端部及び前記打撃部の基端部を連結するものであり、前記連結部は、変形自在であるとともに、前記グリップ部から前記打撃部へ向かう遠心力の大きさにより、直線状の第１状態と、前記第１状態と異なる第２状態との間で切替自在であることを特徴とする。
【発明の効果】
【０００７】
本発明によれば、理想的なバッティングフォームができている否かの確認ができるバットを提供することができる。
【図面の簡単な説明】
【０００８】
【図１】（Ａ）は、チェインが直線状態となったバットの側面図であり、（Ｂ）（Ｃ）は、チェインが曲がった状態となったバットの側面図である。
【図２】連結金具の分解図である。
【図３】連結金具が固定されたグリップ部の概要を示す断面図である
【発明を実施するための形態】
【０００９】
図１に示すように、バット２は、木製のグリップ部１０と、木製の打撃部２０と、グリップ部１０及び打撃部２０を連結する連結部３０とを備える。
【００１０】
グリップ部１０は、棒状に形成される。グリップ部１０の外径は、基端から先端に向かってほぼ一定であってもよいし、基端から先端に向かって漸減してもよい。グリップ部１０は、一方の手（例えば左手）によって握られる第１握りエリア１１と、他方の手（例えば右手）によって握られる第２握りエリア１２と、を備える。また、グリップ部１０の基端面には、グリップエンド１３が設けられることが好ましい。
【００１１】
打撃部２０は、中実構造を備えるものであり、例えば、円錐台状に形成される。その外径は、基端から先端に向かってほぼ一定である、または漸増する。
【００１２】
連結部３０は、連結金具３１と、チェイン３２とからなる。連結金具３１は、グリップ部１０の先端面１０Ｔや、打撃部２０の基端面２０Ｂに取り付けられるものである。また、連結金具３１は、図２に示すように、軸方向Ｃ１に直交する孔３１ＡＸを有するアイボルト３１Ａと、アイボルト３１Ａのボルト部に挿入された状態で溶接される座金（平座金やばね座金等）３１Ｂと、グリップ部１０や打撃部２０に対してアイボルト３１Ａを係止する係止ピン３１Ｃとを備える。
【００１３】
アイボルト３１Ａは、連結部３０に対して連結するためのヘッド部３１ＡＡと、グリップ部１０や打撃部２０に対して固定されるボルト部３１ＡＢとを備える。
【００１４】
チェイン３２は、グリップ部１０や打撃部２０に比べて、変形しやすい材料または変形しやすい構造を有する。チェイン３２は、直線状の直線状態（図１（Ａ））と、曲がった状態（図１（Ｂ）〜（Ｃ））の間で切替自在となる。グリップ部１０を握ってスイングした際、打撃部２０のヘッドスピードが所定値以上となった場合には、重力に負けずに直線状態となり、打撃部２０のヘッドスピードが所定値未満となった場合には、曲がった状態となる。なお、チェイン３２に代えて、紐、綱、テープ等、長尺のものであって、スイング時の強度等に耐えるものを用いてもよい。
【００１５】
アイボルト３１Ａを、座金３１Ｂを介して、グリップ部１０の先端面１０Ｔに螺着させた後、グリップ部１０の外周面から軸方向に直交する貫通孔Ｘを形成する。この貫通孔Ｘは、孔３１ＡＸと連通する（図３）。貫通孔Ｘに対して係止ピン３１Ｃを挿入し、グリップ部１０に対して係止ピン３１Ｃを接着剤等で接着する。これにより連結金具３１は、グリップ部１０の先端面１０Ｔに固定される。同様にして、連結金具３１を打撃部２０の基端面２０Ｂに固定される。グリップ部１０に固定された連結金具３１と、打撃部２０に固定された連結金具３１とをチェイン３２でつなぐ。これにより、バット２が完成する。
【００１６】
グリップ部１０を握ってスイングした際、十分な大きさの回転運動が打撃部２０に伝わった場合、チェイン３０は重力に負けずに直線状態となる（図１（Ａ））。さらに、打撃部２０は、通常のバットと同様に木製である。このため、チェイン３０が直線状態となったバット２は、通常のバットと同様にして、ボールを飛ばすことができる。一方、十分な大きさの回転運動がバット２に伝わっていない場合には、十分な大きさの回転運動が打撃部２０に伝わらず、チェイン３０は重力に負けて、曲がった状態となる（図１（Ｂ）〜（Ｃ））。したがって、このような状態のバット２を用いても、打撃部２０でボールをとらえることができない。
【００１７】
バット２によれば、下半身の回転運動がバット２に伝わっているか否か、すなわち十分な大きさの回転運動がバット２に伝わっているか否かを、チェイン３２の直線状態及び曲がった状態で判別することができる。また、打撃部２０が通常のバットと同様に木製であるため、理想的なバッティングフォームが実現される場合には、通常のバットと同様にして、ボールを飛ばすことができる。したがって、「打撃部２０でボールをとらえたか否か」から理想的なバッティングフォームができていたか否かを判別することができる。さらに、収納は、チェイン３２の部分で折りたたむことができるため、収納スペースは小さくなる。したがって、バス、車や電車にバットを持ち込む場合も周囲の乗客の迷惑とならない。また、チェイン３２の長さを長くする、または、重さを軽くする等により、直線状態及び曲がった状態との切替条件を調節することができる。
【００１８】
連結金具３１とチェイン３２との連結にカラビナ等の連結部材を設けてもよい。連結部材により、グリップ部１０及び打撃部２０の結合と、結合の解除とを切り替えることができるため、収納性が向上する。なお、チェイン３２を第１チェインと第２チェインとに分けて、２つのチェインを連結部材で連結させてもよい。
【００１９】
また、チェイン３２とグリップ部１０（または打撃部２０）の間における捩じりにより、カラビナが開いてしまう場合には、アイボルト３１Ａのヘッド部３１ＡＡを、ボルト部３１ＡＢに対して、ボルト軸周りに回動自在にしてもよい。カラビナとグリップ部１０（または打撃部２０）との捩じりによる力を、回動機構で逃がすことができる。
【００２０】
バット２は、練習などで折れてしまったバットを用いて、製造することができるため、環境にも良い。
【００２１】
上記実施形態では、グリップ部１０と打撃部２０として木製のものを利用したが、本発明はこれに限られず、竹製、金属製、高分子材料（ゴム、熱硬化性樹脂や熱可塑性樹脂など）製のものでもよい。
【００２２】
上記実施形態では、グリップ部１０は、第１握りエリア１１と、第２握りエリア１２と、を備えるとしたが、本発明はこれに限られない。例えば、片手のスイング練習をする際、グリップ部１０は、第１握りエリア１１と、第２握りエリア１２とのうちいずれか一方でもよい。
【００２３】
尚、本発明は、上記した実施の形態に限定されるものではなく、本発明の要旨を逸脱しない範囲内において種々変更を加え得ることは勿論である。
【符号の説明】
【００２４】
２     バット
１０   グリップ部
１０Ｔ 先端面
２０   打撃部
２０Ｂ 基端面
３０   連結部
３１   連結金具
３１Ａ アイボルト
３１Ｂ 座金
３１Ｃ 係止ピン
３２   チェイン
【図１】
2018143314.tif 000003
【図２】
2018143314.tif 000004
【図３】
2018143314.tif 000005